(57)【特許請求の範囲】
【請求項１】
ハウジング第１部分（１）及びハウジング第２部分（２）を有する、プラグコネクタのハウジングを、ロック要素（３）により閉じるための装置であって、前記ロック要素（３）は、細長く形成されたハンドル（４）及び、それぞれがこのハンドル（４）に結合している２つの固定部（５）を有する装置において、
前記固定部（５）が、それぞれ第１バー要素（６）及び第２バー要素（７）を有し、これら第１バー要素（６）及び第２バー要素（７）はＶ字を形成するように互いに配置されており、これら第１バー要素（６）及び第２バー要素（７）はまた、前記ハウジング第１部分（１）及び前記ハウジング第２部分（２）に構成された支承ピン（１０，１１）に対する取り付けのための自由端部（８，９）をそれぞれ有しており、
前記第１バー要素（６）と前記第２バー要素（７）との間には、前記固定部（５）がそれぞれ前記第１バー要素（６）、前記第２バー要素（７）、第３バー要素（１４）により画定される貫通穴（１９）を有するように、少なくとも一つの湾曲部を有する前記第３バー要素（１４）が配置されており、
前記湾曲部は、この湾曲部が前記Ｖ字の頂点に向うように形成されており、これによって前記第３バー要素（１４）は皿ばねのように作用するようになっている、ことを特徴とする、装置。
【請求項２】
前記第３バー要素（１４）が、前記第１バー要素（６）の前記自由端部（８）及び／又は前記第２バー要素（７）の前記自由端部（９）に結合していることを特徴とする、請求項１に記載の装置。
【請求項３】
前記第３バー要素（１４）が第１端部（１５）及び第２端部（１６）を有しており、前記第３バー要素（１４）がその第１端部（１５）により前記第１バー要素（６）に、及び、その第２端部 （１６）により前記第２バー要素（７）に結合されており、その際、前記第１端部（１５）及び前記第２端部（１６）の断面積は、前記第１端部（１５）と前記第２端部（１６）との間に形成された前記第３バー要素（１４）の領域（１７）の断面積より小さいことを特徴とする、請求項１又は２に記載の装置。
【請求項４】
前記第３バー要素（１４）に一つ又は複数のスリットが設けられていることを特徴とする、請求項１から３のいずれか一項に記載の装置。
【請求項５】
前記ロック要素（３）が、強化プラスチック、とりわけ炭素繊維強化プラスチック又はガラス繊維強化プラスチックで構成されていることを特徴とする、請求項１から４のいずれか一項に記載の装置。
【請求項６】
ハウジング第１部分（１）及びハウジング第２部分（２）を有するハウジング、及び、 請求項１から５のいずれか一項に記載のハウジングを閉じる装置、を有することを特徴とするプラグコネクタ。
【発明の詳細な説明】
【技術分野】
【０００１】
本発明は、ハウジング第１部分及びハウジング第２部分を有する、プラグコネクタのハウジングを、ロック要素を用いて閉じるための装置に関するものであり、このロック要素は、細長く構成されたハンドル、及び、それぞれがハンドルに結合されている２つの固定部を有している。本発明はまた、そのような装置を有するプラグコネクタに関する。
【背景技術】
【０００２】
そのような装置は、例えば特許文献１から知られており、そこでは、曲がった柄の形に構成されたロック要素の固定部が連続した面を持つよう構成されていて、それぞれハウジング第１部分の支承ピン及びハウジング第２部分の支承ピンに配置可能であり、それによりハウジング第１部分とハウジング第２部分とをできるだけ確実に閉じることができる。ロック要素の固定部がそのように構成されている場合の短所として、固定部が連続した面を持つよう構成されているために固定部が非常に堅く、そのために、とりわけ両方のハウジング部分のロックを開閉する際に、固定部を支承ピンに固定する領域において生じる応力が特に大きく、それによりこの領域において特に高い負荷が生じ、その特に高い負荷は急速に材料疲労につながる可能性があり、材料疲労が起こると最悪の場合固定部の一部が破損する可能性があり、それによりロック要素がもはやよく機能しないことが挙げられる。
【先行技術文献】
【特許文献】
【０００３】
【特許文献１】独国特許発明第３９３７０２２号明細書
【発明の概要】
【発明が解決しようとする課題】
【０００４】
そのため本発明の課題は、安定性がより高く、及び、より長期間の使用が可能な、ハウジングを閉じる装置及びプラグコネクタを提供することである。
【課題を解決するための手段】
【０００５】
先に詳しく説明した態様の装置において、本発明の課題を解決するために、固定部がそれぞれ第１バー要素及び第２バー要素を有しており、これら第１バー要素及び第２バー要素はＶ字を形成するように互いに配置されており、また、それぞれに、ハウジング第１部分及びハウジング第２部分に構成された支承ピンに固定するための自由端部が設けられており、第１バー要素と第２バー要素との間には、湾曲部を有する少なくとも一つの第３バー要素が配置されており、第３バー要素は、固定部がそれぞれ、第１バー要素、第２バー要素、及び第３バー要素により画定される貫通穴を有するように配置されている。
【０００６】
本発明の課題はまた、ハウジング第１部分及びハウジング第２部分を有するハウジング、及び、このハウジングを閉じるための、請求項１から５に記載の装置を有する、プラグコネクタにより解決される。
【０００７】
本発明の望ましい発展形及び好適な実施形態は従属請求項に記載されている。
【０００８】
ハウジングを閉じる装置はロック要素を有しており、このロック要素をハウジングに固定する、ロック要素の固定部は、従来のロック要素に比べて高湿及び／又は高温で保管された後でも、許容差補正及び耐久性がより優れており、また、コスト安に製造可能である。これを達成するために本発明の固定部は、固定部に生じる応力ができるだけ均一に固定部全体に分散されて、ピーク応力が固定部の一つの領域のみにあることが回避されるように構成されている。そのために固定部は第１バー要素、第２バー要素、及び少なくとも一つの第３バー要素で構成されている。第１バー要素及び第２バー要素は望ましくは略まっすぐに構成されており、共通の固定ポイントにおいてロック要素のハンドルの端部に結合されている。第１バー要素及び第２バー要素は、ハンドルにおけるこの共通の固定ポイントから出発して、Ｖ字型を形成するように固定ポイントから延在している。この固定ポイントの反対側において第１バー要素及び第２バー要素はそれぞれ自由端部を有しており、この自由端部において、バー要素は、両方のハウジング部分に構成された支承ピンに係合することができる。このとき第１バー要素は望ましくはその自由端部によりハウジング第１部分の支承ピンに固定可能であり、第２バー要素は望ましくはその自由端部によりハウジング第２部分の支承ピンに固定可能である。
【０００９】
第１バー要素が直接的に第２バー要素に結合している固定ポイントに加えて、第１バー要素及び第２バー要素は少なくとも一つの第３バー要素を介して互いに結合している。第３バー要素は固定ポイントから離れて配置され、固定ポイントと第３バー要素との間には、第１バー要素、第２バー要素、及び第３バー要素により画定された貫通穴が形成される。第３バー要素及び、これにより形成された貫通穴により、固定部が弾性的に構成されながら、同時に、継続的に高い形態安定性を有することが達成される。この弾性の作用により、固定部に作用する負荷を受け止めて減衰することができる。このような負荷による固定部の損傷は、固定部が堅く構成されている場合に発生する可能性があるが、本発明においては固定部の弾性により回避し得る。貫通穴によりバー要素は、それぞれの固定部に作用する負荷に応じて自由に変形することができる。この変形を可能にするために第３バー要素には湾曲部、とりわけ弓状の湾曲部が設けられており、この湾曲部は望ましくは、固定ポイントの方向に向かって湾曲するように形成されている。この湾曲部により第３バー要素は皿ばねのように作用する。湾曲の度合い及び第３バー要素の断面積は、負荷の高さに応じて個別に決定することができ、その際、湾曲部の大きさ及び断面積の大きさにより固定部、ひいてはロック要素の弾性及びロック力も設定できる。応力を固定部にわたって特に良好に分散させるために第１バー要素、第２バー要素、第３バー要素は略同じ大きさの断面積を有する。このとき固定部は一つの第３バー要素、又は、２つ又はそれより多い第３バー要素を有することができる。第３バー要素が２つ又はそれより多く設けられることにより、固定部が横に外側に向かって曲がることが回避され、しかも固定部の弾性が低下することもない。固定部はそれぞれ、第１バー要素、第２バー要素、及び少なくとも一つの第３バー要素を有しており、これらは望ましくは互いに一体で構成されている。さらに、固定部も望ましくはハンドルと一体で構成されている。さらに、ロック要素全体が望ましくはただ一つの材料、望ましくはプラスチック材料で構成されている。
【００１０】
本発明の望ましい実施形態によると第３バー要素は、第１バー要素の自由端部及び／又は第２バー要素の自由端部に結合されている。それにより固定ポイントからの第３バー要素の距離はできるだけ遠く離れて構成されているため、第１バー要素、第２バー要素、第３バー要素の間の貫通穴を特に大きく形成することができる。それにより固定部が特に高い弾性を有することができ、またそれにより固定部全体にわたってさらに最適な応力分散を達成し得る。
【００１１】
第３バー要素は望ましくは第１端部及び第２端部を有しており、第３バー要素は望ましくはその第１端部で第１バー要素に、その第２端部で第２バー要素に結合されており、望ましくは第１端部及び第２端部の断面積は、第３バー要素の、第１端部と第２端部との間に形成された領域の断面積より小さい。第３バー要素の断面積が、第１バー要素又は第２バー要素に結合されている第３バー要素の端部の方向において小さくなっていることにより、第３バー要素のばね作用がさらに改善され、それによりまた固定部全体の弾性及び応力分散を改善することができる。その際望ましくは、第３バー要素の端部の断面積は、第３バー要素において両端部の中間における第３バー要素の断面積より、略２０％小さい。
【００１２】
本発明のさらなる望ましい実施形態においては、第３バー要素に一つの又は複数のスリットが設けられている。スリットは望ましくは細長く狭い貫通穴の形で構成されており、望ましくは第３バー要素の長さにわたって延在し、第３バー要素のばね作用を高めるように作用するため、第３バー要素にスリットを設けることにより、固定部全体の弾性及びそれにより応力分散も改善し得る。
【００１３】
固定部が特に高い形態安定性を持ち、同時に十分な弾性を持つようにするため、ロック要素は望ましくは強化プラスチック、とりわけ炭素繊維強化プラスチック又はガラス繊維強化プラスチックで構成されている。とりわけ炭素繊維強化プラスチックを使用することにより、ロック要素材料の弾性係数を特に高くすることができ、それにより長い年数が経過しても、また、強い振動においても、ロック要素が特に良好な耐久性を有することができるため、固定部が特に良好な長期形態安定性を示す。プラスチックとしては望ましくは ポリアミドが使用される。
【図面の簡単な説明】
【００１４】
【図１】本発明によるプラグコネクタ・ハウジングを閉じるための装置を備えたプラグコネクタの図式的な図であり、第１の位置にある。
【図２】本発明によるプラグコネクタ・ハウジングを閉じるための装置を備えたプラグコネクタの図式的な図であり、第２の位置にある。
【発明を実施するための形態】
【００１５】
以下、図及び望ましい実施形態を用いて本発明を詳述する。
【００１６】
図１及び図２には本発明のプラグコネクタが図示されており、このプラグコネクタは、 ハウジング第１部分１及びハウジング第２部分２を有するハウジングを有している。両方のハウジング部分１，２は、ハウジング第１部分１がハウジング第２部分２から持ち上げ可能になっていることにより、互いに取り外し可能に構成されている。ハウジングを閉じるには、ハウジング第１部分１が再びハウジング第２部分２の上に載せられ、両方のハウジング部分１，２がしっかりと重なることができるようにロック要素３を用いて閉じられる。図１にはこのロック要素３が開いた位置が図示されており、図２にはこのロック要素３がロックされた位置が図示されている。
【００１７】
ロック要素３は細長く形成されたハンドル４を有しており、このハンドルはハウジングの長手方向側面全体にわたって横方向に延在している。ロック要素３はさらに互いに向かい合う２つの固定部５を有しており、これら固定部５はそれぞれ、ハンドル４と一体でハンドル４の一端に結合されており、また、ハンドル４の縦軸に対して直角に延在している。
【００１８】
固定部５はそれぞれ第１バー要素６及び第２バー要素７を有しており、これらはＶ字を形成するように互いに配置されており、また、それぞれが、ハウジング第１部分１及びハウジング第２部分２に構成された支承ピン１０，１１に固定するための自由端部８，９を有している。第１バー要素６及び第２バー要素７は略まっすぐに構成されており、共通の固定ポイント１２において、ロック要素３のハンドル４の端部に結合している。固定ポイント１２の領域には、切り込み１８の形で構成された材料減少があり、これにより、第１バー要素６及び第２バー要素７のばね作用が改善され得る。第１バー要素６及び第２バー要素７は、この共通の固定ポイント１２から出発して、Ｖ字を形成するように固定ポイント１２から延在している。第１バー要素６及び第２バー要素７は、固定ポイント１２の反対側に、それぞれ自由端部８，９を有しており、この自由端部８，９によりバー要素６，７は、両方のハウジング部分１，２に構成された支承ピン１０，１１に係合することができる。このとき第１バー要素６はその自由端部８によりハウジング第１部分１の支承ピン１０に固定可能であり、第２バー要素７はその自由端部９によりハウジング第２部分２の支承ピン１１に固定される。第２バー要素７の自由端部９には円形の貫通穴１３が設けられており、この貫通穴１３を通ってハウジング第２部分２の支承ピン１１が案内されているため、ハウジング第２部分２の支承ピン１１は第２バー要素７の自由端部９により囲まれる。第２バー要素７の自由端部９はそのためロック要素３のための旋回点を形成し、ロックされた位置から開いた位置へ、また、その逆に移行できるようにするために、ロック要素３はこの旋回点の周りに旋回又は回転することができる。それによりロック要素３は第２バー要素７の自由端部９を介してハウジング第２部分２に外れないように固定されている。これに対して第１バー要素６の自由端部８は湾曲されて、とりわけ第２バー要素７の自由端部９の方向に向かって湾曲されて形成されているため、第１バー要素６の自由端部８は、図２に図示されたように、ハウジング第１部分１の支承ピン１０を、ロックされた位置で「鉤ヅメ」又は「ツメ」のようにつかむことができる。これに対して図１に図示された開いた位置においては、第１バー要素６の自由端部８は旋回してハウジング第１部分１の支承ピン１０から離れるため、ハウジング第１部分１はハウジング第２部分２から持ち上げることができる。
【００１９】
さらに固定部５はそれぞれ第３バー要素１４を有しており、第３バー要素１４は、第１バー要素６と第２バー要素７との間に配置されている。固定ポイント１２と第３バー要素１４との間に貫通穴１９が構成されるよう、第３バー要素１４は固定ポイント１２から離れて配置されており、貫通穴１９は第１バー要素６、第２バー要素７、第３バー要素１４により画定されて略三角形に形成されている。第３バー要素１４は弓状の湾曲部を有しており、この湾曲部は望ましくは固定ポイント１２の方向に向かって湾曲部が構成されるように、構成されている。湾曲部により第３バー要素１４は皿ばねのように作用する。第３バー要素１４を第１バー要素６及び第２バー要素７の自由端部８，９に結合することにより、貫通穴１９はできるだけ大きく形成される。第３バー要素１４はさらに第１端部１５及び第２端部１６を有し、第３バー要素１４は第１端部１５及び第２端部１６により第１バー要素６及び第２バー要素７に結合されており、このとき第１端部１５及び第２端部１６の断面積は、第３バー要素１４の第１端部１５と第２端部１６との間にある第３バー要素１４の中央の領域１７の断面積より小さい。
【００２０】
ロック要素３は単一の材料、とりわけプラスチック材料で構成されており、望ましくはそのために炭素繊維強化プラスチックが用いられる。このとき、固定部５自身、及び、固定部５とハンドル４との接続も一体で構成されている。
【符号の説明】
【００２１】
１  ハウジング第１部分
２  ハウジング第２部分
３  ロック要素
４  ハンドル
５  固定部
６  第１バー要素
７  第２バー要素
８  自由端部
９  自由端部
１０  支承ピン
１１  支承ピン
１２  固定ポイント
１３  貫通穴
１４  第３バー要素
１５  第１端部
１６  第２端部
１７  領域
１８  切り込み
１９  貫通穴
【図１】
0005823065.tif 000002
【図２】
0005823065.tif 000003